(57)【要約】      （修正有）【課題】挿入部と一緒に腹部のポートに挿入した処置具によって接着剤や接着剤の直前に位置する部位が傷つくおそれを低減できる腹腔用内視鏡を提供する。【解決手段】操作部から前方に延びる可撓管部と、可撓管部の前端に接続し、操作部に設けた湾曲操作手段の操作に応じて湾曲する湾曲部２６と、湾曲部の前端に接続する先端硬質部２１と、を有する挿入部２０が腹腔に対して挿脱可能な腹腔用内視鏡において、湾曲部の外皮を構成し、前端部が先端硬質部の外周面に被さる外皮チューブ２８と、外皮チューブの前端部の外周面に巻き付けた、前端部を先端硬質部に固定するための締付糸３０と、外皮チューブの前端部の外周面及び締付糸に付着した状態で固化した接着剤３１と、接着剤の直後に位置し、かつ、接着剤よりも挿入部の外周側に突出する後方保護部３４を有する接着剤保護部材３３と、を備える。【選択図】図３
2014147615.tif 000002
【特許請求の範囲】
【請求項１】
操作部から前方に延びる可撓管部と、
該可撓管部の前端に接続し、上記操作部に設けた湾曲操作手段の操作に応じて湾曲する湾曲部と、
該湾曲部の前端に接続する先端硬質部と、
を有する挿入部が腹腔に対して挿脱可能な腹腔用内視鏡において、
上記湾曲部の外皮を構成し、前端部が上記先端硬質部の外周面に被さる外皮チューブと、
該外皮チューブの上記前端部の外周面に巻き付けた、該前端部を上記先端硬質部に固定するための締付糸と、
上記外皮チューブの上記前端部の外周面及び上記締付糸に付着した状態で固化した接着剤と、
上記接着剤の直後に位置し、かつ、上記接着剤よりも上記挿入部の外周側に突出する後方保護部を有する接着剤保護部材と、
を備えることを特徴とする腹腔用内視鏡。
【請求項２】
請求項１記載の腹腔用内視鏡において、
上記接着剤保護部材が、上記外皮チューブの上記前端部の外周面に被せた環状部材である腹腔用内視鏡。
【請求項３】
請求項２記載の腹腔用内視鏡において、
上記接着剤保護部材が、上記外皮チューブの上記前端部の外周面に対して着脱可能である腹腔用内視鏡。
【請求項４】
請求項２または３記載の腹腔用内視鏡において、
上記接着剤保護部材が、上記後方保護部から前方に向かって延びかつ上記接着剤の外周面を覆う外周側保護部を有する腹腔用内視鏡。
【請求項５】
請求項１記載の腹腔用内視鏡において、
上記外皮チューブが上記接着剤保護部材を構成し、該外皮チューブの一部に形成した環状突出部によって上記後方保護部を形成した腹腔用内視鏡。
【請求項６】
操作部から前方に延びる可撓管部と、
該可撓管部の前端に接続し、上記操作部に設けた湾曲操作手段の操作に応じて湾曲する湾曲部と、
該湾曲部の前端に接続する先端硬質部と、
を有する挿入部が腹腔に対して挿脱可能な腹腔用内視鏡において、
上記湾曲部の外皮を構成し、前端部が上記先端硬質部の外周面に被さる外皮チューブと、
上記先端硬質部の外周面及び上記外皮チューブの前端部の外周面に被さる弾性材料からなる拡径可能チューブと、
該拡径可能チューブの前端部の外周面に巻き付けた、上記拡径可能チューブの該前端部を上記先端硬質部に固定するための締付糸と、
上記拡径可能チューブの前端部の外周面及び上記締付糸に付着した状態で固化した接着剤と、
を備え、
上記拡径可能チューブが、上記接着剤の直後に位置し、かつ、上記挿入部の内部を流れる流体の圧力を内周面で受けたときに上記接着剤よりも上記挿入部の外周側に膨らむ後方保護部を有することを特徴とする腹腔用内視鏡。
【請求項７】
操作部から前方に延びる可撓管部と、
該可撓管部の前端に接続し、上記操作部に設けた湾曲操作手段の操作に応じて湾曲する湾曲部と、
該湾曲部の前端に接続する先端硬質部と、
を有する挿入部が腹腔に対して挿脱可能な腹腔用内視鏡において、
上記湾曲部の外皮を構成し、前端部が上記先端硬質部の外周面に被さる外皮チューブと、
上記先端硬質部の外周面及び上記外皮チューブの前端部の外周面に被さる弾性材料からなる拡径可能チューブと、
該拡径可能チューブの前端部をその他の部位に対して内周側に位置させながら後方に折り返した前端折り返し部に対して外周側から巻き付けた、上記前端折り返し部を上記先端硬質部に固定するための締付糸と、
上記前端折り返し部の外周面及び上記締付糸に付着した状態で固化した接着剤と、
を備え、
上記拡径可能チューブが、上記接着剤の外周側に位置しながら上記前端折り返し部から上記接着剤の後方に向かって延び、かつ、上記接着剤の直後に位置する部位が、上記挿入部の内部を流れる流体の圧力を内周面で受けたときに上記接着剤よりも上記挿入部の外周側に膨らむ後方保護部を構成することを特徴とする腹腔用内視鏡。
【発明の詳細な説明】
【技術分野】
【０００１】
本発明は腹腔用内視鏡に関する。
【背景技術】
【０００２】
図１５は、腹腔用内視鏡を用いた内視鏡術の従来例を示している。
図示するように患者の腹部に形成したポート（孔）には、患者の体外から腹腔用内視鏡の挿入部と、２本の処置具（硬性鏡用の処置具）と、が挿入される。術者は、体腔内に挿入した挿入部の先端に設けた対物レンズを通して体腔内の様子を観察可能である。従って、対物レンズによって観察された対象部位（患部）を各処置具によって処置することが可能である。
【先行技術文献】
【特許文献】
【０００３】
【特許文献１】特開２００８−９９７４４号公報
【発明の概要】
【発明が解決しようとする課題】
【０００４】
従来の腹腔用内視鏡の挿入部構造には以下の問題があった。
即ち、挿入部の先端近傍部を構成する湾曲部の外周面は、柔軟な材料からなる外皮チューブによって構成してある。外皮チューブの前端部は、挿入部の先端硬質部の外周面に被せてある。外皮チューブの前端部の外周面には締付糸（図１５では図示略）が巻き付けてあり、締付糸によって外皮チューブの前端が先端硬質部に対して固定してある。さらに締付糸と外皮チューブの前端部は、締付糸に対してそれぞれ付着しかつ固化させた接着剤によって互いに固定されている。
【０００５】
図示するように締付糸の表面で固化した接着剤は周辺部より大径になる。
そのため腹腔用内視鏡と一緒にポートに挿入した処置具が接着剤に接触し、接着剤を破損させたり損傷させてしまうおそれがある。さらに処置具が各接着剤の直前に位置する部位（先端硬質部）を破損させたり損傷させるおそれもある。
【０００６】
本発明は、挿入部と一緒に腹部のポートに挿入した処置具によって接着剤や接着剤の直前に位置する部位が傷つくおそれを低減できる腹腔用内視鏡を提供することを目的とする。
【課題を解決するための手段】
【０００７】
本発明の腹腔用内視鏡は、操作部から前方に延びる可撓管部と、該可撓管部の前端に接続し、上記操作部に設けた湾曲操作手段の操作に応じて湾曲する湾曲部と、該湾曲部の前端に接続する先端硬質部と、を有する挿入部が腹腔に対して挿脱可能な腹腔用内視鏡において、上記湾曲部の外皮を構成し、前端部が上記先端硬質部の外周面に被さる外皮チューブと、該外皮チューブの上記前端部の外周面に巻き付けた、該前端部を上記先端硬質部に固定するための締付糸と、上記外皮チューブの上記前端部の外周面及び上記締付糸に付着した状態で固化した接着剤と、上記接着剤の直後に位置し、かつ、上記接着剤よりも上記挿入部の外周側に突出する後方保護部を有する接着剤保護部材と、を備えることを特徴としている。
【０００８】
上記接着剤保護部材が、上記外皮チューブの上記前端部の外周面に被せた環状部材であってもよい。
【０００９】
上記接着剤保護部材が、上記外皮チューブの上記前端部の外周面に対して着脱可能であってもよい。
【００１０】
上記接着剤保護部材が、上記後方保護部から前方に向かって延びかつ上記接着剤の外周面を覆う外周側保護部を有してもよい。
【００１１】
上記外皮チューブが上記接着剤保護部材を構成し、該外皮チューブの一部に形成した環状突出部によって上記後方保護部を形成してもよい。
【００１２】
本発明の腹腔用内視鏡は、別の態様によると、操作部から前方に延びる可撓管部と、該可撓管部の前端に接続し、上記操作部に設けた湾曲操作手段の操作に応じて湾曲する湾曲部と、該湾曲部の前端に接続する先端硬質部と、を有する挿入部が腹腔に対して挿脱可能な腹腔用内視鏡において、上記湾曲部の外皮を構成し、前端部が上記先端硬質部の外周面に被さる外皮チューブと、上記先端硬質部の外周面及び上記外皮チューブの前端部の外周面に被さる弾性材料からなる拡径可能チューブと、該拡径可能チューブの前端部の外周面に巻き付けた、上記拡径可能チューブの該前端部を上記先端硬質部に固定するための締付糸と、上記拡径可能チューブの前端部の外周面及び上記締付糸に付着した状態で固化した接着剤と、を備え、上記拡径可能チューブが、上記接着剤の直後に位置し、かつ、上記挿入部の内部を流れる流体の圧力を内周面で受けたときに上記接着剤よりも上記挿入部の外周側に膨らむ後方保護部を有することを特徴としている。
【００１３】
本発明の腹腔用内視鏡は、さらに別の態様によると、操作部から前方に延びる可撓管部と、該可撓管部の前端に接続し、上記操作部に設けた湾曲操作手段の操作に応じて湾曲する湾曲部と、該湾曲部の前端に接続する先端硬質部と、を有する挿入部が腹腔に対して挿脱可能な腹腔用内視鏡において、上記湾曲部の外皮を構成し、前端部が上記先端硬質部の外周面に被さる外皮チューブと、上記先端硬質部の外周面及び上記外皮チューブの前端部の外周面に被さる弾性材料からなる拡径可能チューブと、該拡径可能チューブの前端部をその他の部位に対して内周側に位置させながら後方に折り返した前端折り返し部に対して外周側から巻き付けた、上記前端折り返し部を上記先端硬質部に固定するための締付糸と、上記前端折り返し部の外周面及び上記締付糸に付着した状態で固化した接着剤と、を備え、上記拡径可能チューブが、上記接着剤の外周側に位置しながら上記前端折り返し部から上記接着剤の後方に向かって延び、かつ、上記接着剤の直後に位置する部位が、上記挿入部の内部を流れる流体の圧力を内周面で受けたときに上記接着剤よりも上記挿入部の外周側に膨らむ後方保護部を構成することを特徴としている。
【発明の効果】
【００１４】
本発明の腹腔用内視鏡は、外皮チューブの前端部の外周面に巻き付けた締付糸に付着させて固化させた接着剤の直後に位置させて接着剤保護部材を設けている。この接着剤保護部材は、接着剤よりも挿入部の外周側に突出する後方保護部を有している。
本発明の別の態様の腹腔用内視鏡は、拡径可能チューブの前端部の外周面、及び、拡径可能チューブの前端部を先端硬質部に固定するための締付糸に付着した状態で固化した接着剤を有し、さらに拡径可能チューブが、接着剤の直後に位置し、かつ、挿入部の内部を流れる流体の圧力を内周面で受けたときに接着剤よりも挿入部の外周側に膨らむ後方保護部を有している。
また、本発明のさらに別の態様の腹腔用内視鏡は、拡径可能チューブの前端折り返し部に対して外周側から巻き付けた締付糸、及び、前端折り返し部の外周面に付着した状態で固化した接着剤を有し、さらに拡径可能チューブが、接着剤の外周側に位置しながら前端折り返し部から上記接着剤の後方に向かって延び、かつ、接着剤の直後に位置する部位が挿入部の内部を流れる流体の圧力を内周面で受けたときに接着剤よりも上記挿入部の外周側に膨らむ後方保護部を構成している。
そのため、いずれの態様でも、腹腔用内視鏡の挿入部と一緒にポート（患者の腹部に形成した孔）に挿入した処置具が、接着剤（接着剤）や挿入部における接着剤（接着剤）の直前に位置する部位に接触してこれらを傷付けるおそれを低減できる。
【図面の簡単な説明】
【００１５】
【図１】本発明の第１の実施形態の内視鏡の全体図である。
【図２】被検者の腹腔を通して内視鏡及び２本の処置具を体内に挿入する状態を示す図である。
【図３】一部を断面視して示す挿入部の先端部の拡大側面図である。
【図４】接着剤保護部材の斜視図である。
【図５】第１の実施形態の第１の変形例の接着剤保護部材の斜視図である。
【図６】第１の実施形態の第２の変形例の図３と同様の拡大側面図である。
【図７】第１の実施形態の第２の変形例の接着剤保護部材の斜視図である。
【図８】第１の実施形態の第３の変形例の接着剤保護部材の斜視図である。
【図９】第１の実施形態の第４の変形例の図３と同様の拡大側面図である。
【図１０】本発明の第２の実施形態の図３と同様の拡大側面図である。
【図１１】本発明の第３の実施形態の図３と同様の拡大側面図であり、接着剤保護部材が自由状態にあるときの図である。
【図１２】同じく接着剤保護部材が拡径方向に弾性変形したときの図３と同様の拡大側面図である。
【図１３】本発明の第４の実施形態の図３と同様の拡大側面図であり、接着剤保護部材が自由状態にあるときの図である。
【図１４】同じく接着剤保護部材が拡径方向に弾性変形ときの図３と同様の拡大側面図である。
【図１５】従来例の図２と同様の図である。
【発明を実施するための形態】
【００１６】
以下、本発明の第１の実施形態について図１から図４を参照しながら説明する。
腹腔用の内視鏡１０は、操作部１２と、操作部１２から前方に延びる挿入部２０と、操作部１２から挿入部２０と反対側に延びるユニバーサルチューブ１３と、ユニバーサルチューブ１３の端部に設けたコネクタ部１４と、を具備している。挿入部２０の先端部には対物レンズと照明レンズ（いずれも図示略）が設けてある。挿入部２０の前端近傍の内部には対物レンズの直後に位置する撮像素子（図示略）が設けてあり、撮像素子から後方に延びる画像信号用ケーブル（図示略）の後端部が、挿入部２０、操作部１２、及び、ユニバーサルチューブ１３の内部空間を通り抜けてコネクタ部１４に接続している。また、挿入部２０、操作部１２、ユニバーサルチューブ１３、及び、コネクタ部１４の内部にはライトガイドファイバ（図示略）が配設してある。ライトガイドファイバの前端部は上記照明レンズに接続している。
【００１７】
続いて挿入部２０の詳しい構造について説明する。
挿入部２０の先端部は、その外形が略円柱形状をなす合成樹脂製の先端硬質部２１により構成してある。先端硬質部２１の先端面には、上記対物レンズや上記照明用レンズ等が設けてある。図示するように先端硬質部２１の前端部は先端大径部２２により構成してあり、先端大径部２２の前半部の外周面は前方に向かうにつれて徐々に縮径するテーパ面２２ａとなっている。先端硬質部２１の後半部は、先端大径部２２から後向に延びかつ先端大径部２２より小径である円筒形状の接続筒部２３により構成してある。接続筒部２３の外周面の前端部には環状凹部２４が凹設してある。
【００１８】
挿入部２０における先端硬質部２１の直後をなす部分は、操作部１２に回転可能に設けた２つの湾曲操作レバー１５（湾曲操作手段）の回転操作に連動して上下方向及び左右横行に湾曲する湾曲部２６となっている。
湾曲部２６は、挿入部２０の軸線を中心とする円筒形状をなし、該軸線方向に並べて設けた複数の節輪と、各節輪の外周面を被覆する金属製の網状管とからなる、全体として筒状をなす本体部２７を備えている。隣り合う節輪どうしは互いに相対回転可能に接続してあり、術者が湾曲操作レバー１５を回転操作すると、各節輪（湾曲部２６）が上方または下方に湾曲する。
本体部２７（網状管）の外周面には、挿入部２０の軸線を中心とする筒状体であるゴム製（例えばフッ素ゴム）の湾曲部被覆材２８（外皮チューブ）が巻いてある。図示するように、湾曲部被覆材２８の前部は接続筒部２３の外周面に外嵌している（被覆してある）。さらに湾曲部被覆材２８の前端部は環状凹部２４に（外嵌）被覆してあり、湾曲部被覆材２８の前端部の外周面には締付糸３０（例えば、テグス）を複数回巻き付けてあり、さらに湾曲部被覆材２８の前端部の外周面及び締付糸３０に対して接着剤３１を塗布した上で固化させてある。接着剤３１は締付糸３０全体に対して塗布してあるので、接着剤３１の全体形状は環状である。このように締付糸３０及び接着剤３１を利用して湾曲部被覆材２８の前端部を先端硬質部２１に対して固定しているので、先端硬質部２１と湾曲部被覆材２８は互いに分離不能である。
【００１９】
さらに湾曲部被覆材２８の外周面には、接着剤３１の直後に位置させて、筒状をなす接着剤保護部材３３が固定状態で外嵌してある。接着剤保護部材３３（生体適合性が確認されている金属（例：ＳＵＳ、チタン）、樹脂、バイオセラミック、カーボン、硬質ゴム等の材料により構成する）の前端近傍部は最も外径が大きい後方保護部３４により構成してある。図３に示すように後方保護部３４の外径は接着剤３１の外径より大径であり、後方保護部３４は接着剤３１の外周側に突出している。また図３に示すように、後方保護部３４の前端と先端大径部２２のテーパ面２２ａの後端とを結ぶ直線（図３の二点鎖線を参照）の内周側に接着剤３１が位置している。
【００２０】
挿入部２０の湾曲部２６より後方に位置する部分は可撓性のある可撓管部３５となっている。可撓管部３５の外周面は挿入部２０の軸線を中心とする筒状体であるゴム製（例えばフッ素ゴム）の可撓管部被覆材３６により構成してあり、可撓管部被覆材３６の前端部は湾曲部被覆材２８の後端部に対して締付糸（図示略）と接着剤３７を用いて固定してある（図２参照）。即ち、可撓管部被覆材３６の前端面は湾曲部被覆材２８の後端面に付き合わせてあり、湾曲部被覆材２８の後端部の外周面には締付糸が複数回巻き付けてあり、さらに可撓管部被覆材３６の前端部の外周面及び当該締付糸に対して接着剤３７が環状をなすように塗布し、かつ固化させてある。
【００２１】
続いて、内視鏡１０を用いた腹腔鏡術について説明する。
図示するように患者の腹部に形成したポート（孔）に対して、患者の体外から内視鏡１０の挿入部２０と、２本の処置具３９、４０を挿入する。コネクタ部１４を画像処理装置に接続すると共に画像処理装置にモニタを接続し、かつ、コネクタ部を光源装置に接続すると、光源で発生した光がライトガイドファイバを介して照明レンズから外部に照射され、さらに上記対物レンズを透過した観察像が上記撮像素子によって撮像される。撮像素子が生成した撮像データは画像信号用ケーブルを介して画像処理装置に送られ、画像処理装置によって画像処理された画像がモニタに表示される。従って、術者はモニタを見ることにより体腔内の様子を観察可能であり、術者は対物レンズによって観察された対象部位（患部）を各処置具３９、４０によって処置することが可能である。
このとき、処置具３９、４０が挿入部２０の外周面に接触することがある。しかし、接着剤３１の直後に、接着剤３１の外径より大径である後方保護部３４を有する接着剤保護部材３３を設けているので、処置具３９、４０が接着剤３１や、接着剤３１の直前に位置する部位（先端硬質部２１の先端大径部２２）に接触して、これらを傷付けるおそれを低減できる。
さらに先端大径部２２にテーパ面２２ａを形成してあるので、処置具３９、４０を先端大径部２２の前端部に接触することなく、処置具３９、４０を挿入部２０側に接近させることが可能である。そのため、ポートが小径の場合であっても、処置具３９、４０によって先端大径部２２の前端部を傷付けることなく腹腔鏡術を行うことが可能である。
【００２２】
続いて、第１の実施形態の変形例について図５〜図１０を参照しながら説明する。
図５に示す第１の変形例の接着剤保護部材４２は金属製であり、周方向の一部に長手方向の全長に渡るスリット４３が形成してある。接着剤保護部材４２が図５に示す自由状態にあるとき、接着剤保護部材４２の内径は湾曲部被覆材２８の外径（及び接着剤３１の外径）より小径である。しかし、スリット４３を利用して接着剤保護部材４２を拡径方向に弾性変形させると、接着剤保護部材４２の内径は湾曲部被覆材２８の外径（及び接着剤３１の外径）より大径となる。
従って接着剤保護部材４２は挿入部２０（湾曲部被覆材２８）に対して着脱可能なので、例えば接着剤保護部材４２が破損した場合（例えば、処置具３９、４０によって表面に大きな傷が出来た場合など）には新しい接着剤保護部材４２に交換することが可能である。
また、接着剤保護部材４２を挿入部２０（湾曲部被覆材２８）に装着すると、接着剤保護部材４２の内径が自由状態から拡径するので、接着剤保護部材４２の内周面から湾曲部被覆材２８の外周面に接触圧力が及ぶことになる。そのため挿入部２０（湾曲部被覆材２８）に装着した接着剤保護部材４２が挿入部２０（湾曲部被覆材２８）に対して軸線方向に位置ズレしたり、挿入部２０（湾曲部被覆材２８）から脱落するおそれは小さい。
【００２３】
図６、図７に示す第２の変形例の接着剤保護部材４５は硬質ゴム、シリコンゴム、天然ゴム等により構成したものであり、接着剤保護部材４５の前端部は最も外径が大きい外周側保護部４６により構成してあり、外周側保護部４６より後方に位置する部位は接着剤３１より外周側に突出する後方保護部４７により構成してある。さらに外周側保護部４６の内周面には環状凹部からなる接着剤逃げ用凹部４８が凹設してある。
この接着剤保護部材４５を図６に示す態様で湾曲部被覆材２８の外周面に固定状態で外嵌すると、湾曲部被覆材２８の前端部と接着剤逃げ用凹部４８の間に形成された環状空間に接着剤３１が位置し、接着剤３１の外周側が外周側保護部４６によって覆われる。そのため処置具３９、４０が接着剤３１に接触するリスクをより低減できる。
【００２４】
図８に示す第３の変形例の接着剤保護部材４９は金属製であり、外周側保護部４６、後方保護部４７、接着剤逃げ用凹部４８、及び、スリット５０を有している。従って、接着剤保護部材４２と接着剤保護部材４５が発揮可能な上記効果を同時に発揮できる。
【００２５】
図９に示す第４の変形例の接着剤保護部材５２は硬質ゴム、シリコンゴム、天然ゴム等により構成してあり、接着剤保護部材５２の後部は接着剤３１の外径より大径である後方保護部５３により構成してある。また接着剤保護部材５２の前部は、後方保護部５３の前端と同径をなす外周側保護部５４により形成してあり、外周側保護部５４の前端には内周側に向かって突出する環状フランジ５５が設けてある。さらに外周側保護部５４の内周面には環状凹部からなる接着剤逃げ用凹部５６が凹設してある。
この接着剤保護部材５２を図９に示す態様で湾曲部被覆材２８の外周面及び先端大径部２２（本変形例の先端大径部２２は全体の外径が同一であり、テーパ面２２ａは形成されていない）に固定状態で外嵌すると、環状フランジ５５の後端面が先端大径部２２の前端面の外周縁部に係合し、かつ、湾曲部被覆材２８の前端部と接着剤逃げ用凹部５６との間に形成された環状空間に接着剤３１が位置し、接着剤３１の外周側が外周側保護部５４によって覆われる。
接着剤保護部材５２の外周側保護部５４は接着剤保護部材４５の外周側保護部４６より前後長が長いので、接着剤保護部材４５よりも更に、処置具３９、４０が接着剤３１に接触するリスクをより低減できる。
なお接着剤保護部材５２を金属材料により構成した上で、接着剤保護部材５２にスリット４３、５０に相当するスリットを形成してもよい。
【００２６】
続いて、本発明の第２の実施形態について図１０を参照しながら説明する。
図１０に示す挿入部２０’の接続筒部２３’の長手方向の中間部には、その前後及び接着剤３１に比べて大径である環状突出部２３ａが形成してある。そのため湾曲部被覆材２８（接着剤保護部材）を接続筒部２３’に被せると、湾曲部被覆材２８の環状突出部２３ａと対応する部分は、接着剤３１に比べて大径な後方保護部２８ａとなる。また図１０に示すように、後方保護部２８ａの前端と先端大径部２２のテーパ面２２ａの後端とを結ぶ直線（図１０の二点鎖線を参照）の内周側に接着剤３１が位置している。
従って、第１の実施形態の内視鏡１０（接着剤保護部材３３）と同様の作用効果を発揮できる。
しかも、接続筒部２３や湾曲部被覆材２８とは別の部材（接着剤保護部材３３）を必要としないので、第１の実施形態の内視鏡１０に比べて構造が簡単である。
【００２７】
続いて、本発明の第３の実施形態について図１１、図１２を参照しながら説明する。
図１１、図１２に示す挿入部２０''の先端硬質部２１の接続筒部２３''の外周面の後端部には環状凹部からなる被覆材接続用凹部２３ｂが凹設してあり、さらに接続筒部２３''の内部にはその後端面から外周面に至る断面Ｌ字形の流体流通路２３ｃが形成してある。図示するように湾曲部被覆材２８の前端部は被覆材接続用凹部２３ｂに固定状態で外嵌してある。また挿入部２０''、操作部１２、ユニバーサルチューブ１３、及び、コネクタ部１４の内部には、可撓性材料からなる流体用チューブ５８が配設してある。流体用チューブ５８の前端開口は流体流通路２３ｃの後端開口に接続しており、流体用チューブ５８の後端はコネクタ部１４に形成した口金（弁付き開口。図示略）に接続している。
接続筒部２３''の外周面及び湾曲部被覆材２８の前部の外周面には、シリコンゴム、ラテックス等の弾性材料からなる円筒状部材である拡径可能チューブ６０が被せてある。図示するように拡径可能チューブ６０の後端部は湾曲部被覆材２８の外周面に被覆してあり、当該後端部の外周面には締付系６５が巻き付けてあり、さらに当該後端部の外周面と締付系６５には接着剤６６が環状をなすように塗布した上で固化させてある。拡径可能チューブ６０の後端部より前方に位置する部分は、接着剤３１の外周側を覆いながら前方に折り返された後方保護部６１を構成している。さらに後方保護部６１の前端部は接続筒部２３''の外周面の前端部に被せてあり、締付糸３０及び接着剤３１によって先端硬質部２１に対して固定してある。
以上構成の挿入部２０''は、流体用チューブ５８及び流体流通路２３ｃを通じて接続筒部２３''の外周面と拡径可能チューブ６０の間の環状空間に流体（例えば空気）を流入させないときは、図１１に示すように拡径可能チューブ６０は自由状態となって接続筒部２３''の外周面及び湾曲部被覆材２８の前部の外周面に接近する。そのため、この状態にある挿入部２０''は、小径のポートに対しても円滑に挿脱することが可能である。
一方、コネクタ部１４の上記口金（弁付き開口）に流体源（例えば圧縮空気源）を接続し、挿入部２０''をポートを通して体腔内に挿入した後に流体を流体用チューブ５８及び流体流通路２３ｃを通じて接続筒部２３''の外周面と拡径可能チューブ６０の間の環状空間に流入させると、図１２に示すように流体の圧力が拡径可能チューブ６０の後方保護部６１の内周面に及び、後方保護部６１が外周側に膨張（弾性変形）する。すると後方保護部６１の接着剤３１の直後に位置する部位の外径が接着剤３１より大径になるので、第１の実施形態と同様に、処置具３９、４０が接着剤３１や、接着剤３１の直前に位置する部位（先端硬質部２１の先端大径部２２）に接触して、これらを傷付けるおそれを低減できる。
さらに締付系６５及び接着剤６６を拡径可能チューブ６０（後方保護部６１）が完全に覆っているので、処置具３９、４０が接着剤６６を傷付けるおそれはない。
【００２８】
最後に、本発明の第４の実施形態について図１３、図１４を参照しながら説明する。
図１３、図１４に示す挿入部２０'''の先端硬質部２１の接続筒部２３'''は接続筒部２３''と同じ構造であり、挿入部２０''と同じ態様の本体部２７、湾曲部被覆材２８、及び流体用チューブ５８を具備している。
拡径可能チューブ６０と同じ材質かつ同じ形状の部材である拡径可能チューブ６８の前端部である前端折り返し部６８ａは接続筒部２３'''の外周面の前端部に被覆してある。前端折り返し部６８ａの外周面には締付糸３０が巻き付けてあり、さらに前端折り返し部６８ａの外周面と締付糸３０には接着剤３１が環状をなすように塗布した上で固化させてある。拡径可能チューブ６８の前端折り返し部６８ａより後方に位置する部分は、接着剤３１の外周側を覆いながら後方に折り返された後方保護部６９を構成している。さらに後方保護部６９の後端部は湾曲部被覆材２８の外周面の前端近傍部に被せてあり、締付糸６５及び接着剤６６によって湾曲部被覆材２８に対して固定してある。
以上構成の挿入部２０'''も、接続筒部２３'''の外周面と拡径可能チューブ６８の間の環状空間に流体（例えば空気）を流入させないときは、図１３に示すように拡径可能チューブ６８は自由状態となって接続筒部２３'''の外周面に接近する。一方、上記流体源（及び、流体用チューブ５８、流体流通路２３ｃ）を利用して、流体を接続筒部２３'''の外周面と拡径可能チューブ６８の間の環状空間に流入させると、図１４に示すように流体の圧力が拡径可能チューブ６８の後方保護部６９の内周面に及び、後方保護部６９が外周側に膨張（弾性変形）する。すると後方保護部６９（の接着剤３１の直後に位置する部分）の外径が接着剤３１より大径になるので、第１の実施形態と同様に、処置具３９、４０が接着剤３１や、接着剤３１の直前に位置する部位（先端硬質部２１の先端大径部２２）に接触して、これらを傷付けるおそれを低減できる。
【００２９】
以上、上記各実施形態、及び、各変形例を利用して本発明を説明したが、本発明は様々な変形を施しながら実施可能である。
例えば、図１３、図１４の接着剤６６の外周部に、樹脂または金属からなる外径及び肉厚が小さいカラー（筒）を被せても良い。
【符号の説明】
【００３０】
１０    内視鏡
１２    操作部
１３    ユニバーサルチューブ
１４    コネクタ部
１５    湾曲操作レバー（湾曲操作手段）
２０  ２０’  ２０''  ２０'''  挿入部
２１    先端硬質部
２２    先端大径部
２２ａ  テーパ面
２３  ２３’  ２３''  ２３'''  接続筒部
２３ａ  環状突出部
２３ｂ  被覆材接続用凹部
２３ｃ  流体流通路
２４    環状凹部
２６    湾曲部
２７    本体部
２８    湾曲部被覆材（外皮チューブ）（接着剤保護部材）
２８ａ  後方保護部
３０    締付糸
３１    接着剤
３３    接着剤保護部材
３４    後方保護部
３５    可撓管部
３６    可撓管部被覆材
３７    接着剤
３９  ４０  処置具
４２    接着剤保護部材
４３    スリット
４５    接着剤保護部材
４６    外周側保護部
４７    後方保護部
４８    接着剤逃げ用凹部
４９    接着剤保護部材
５０    スリット
５２    接着剤保護部材
５３    後方保護部
５４    外周側保護部
５５    環状フランジ
５６    接着剤逃げ用凹部
５８    流体用チューブ
６０    拡径可能チューブ
６１    後方保護部
６５    締付糸
６６    接着剤
６８    拡径可能チューブ
６８ａ  前端折り返し部
６９    後方保護部
【図１】
2014147615.tif 000003
【図２】
2014147615.tif 000004
【図３】
2014147615.tif 000005
【図４】
2014147615.tif 000006
【図５】
2014147615.tif 000007
【図６】
2014147615.tif 000008
【図７】
2014147615.tif 000009
【図８】
2014147615.tif 000010
【図９】
2014147615.tif 000011
【図１０】
2014147615.tif 000012
【図１１】
2014147615.tif 000013
【図１２】
2014147615.tif 000014
【図１３】
2014147615.tif 000015
【図１４】
2014147615.tif 000016
【図１５】
2014147615.tif 000017